(57)【要約】      （修正有）【課題】各種のペットボトル等のキャップを廃棄する事なく利用するマグネット止着具を提供する。【解決手段】マグネット止着具は、柔軟性又は硬質性の合成樹脂、合成ゴム等の構成材料を以って形成され、外周に円形縁枠を設け、正面の接着側には止着面を形成する。該止着面には、各種形状のマグネットを接合取着してある。また、該マグネット止着具は、キャップの外周より被嵌する構成と、キャップの内周に挿嵌する構成として使用されるものである。更に、キャップの内周に挿嵌するマグネット止着具には、円形縁枠の外周に各種形状の外周突部を形成した構成となっている。【選択図】図１
0003142903.tif 000002
【実用新案登録請求の範囲】
【請求項１】
マグネット止着具は、柔軟性よりなる合成樹脂、合成ゴム等の構成材料より形成し、該マグネット止着具には、外周に円形縁枠を設けると共に、正面の接着側に止着面を形成し、該止着面には、各種形状のマグネットを装設した事を特徴とするキャップ用マグネット止着具。
【請求項２】
マグネット止着具は、合成樹脂、合成ゴム等の構成材料より形成され、該マグネット止着具には、外周に円形縁枠を設けると共に、正面に止着面を形成し、該マグネット止着具は、ペットボトル等のキャップの外周より被嵌し、該止着面には、各種形状のマグネットを一部又は全面に装設した事を特徴とするキャップ用マグネット止着具。
【請求項３】
ペットボトル等のキャップの内周に挿嵌するマグネット止着具は、該マグネット止着具の円形縁枠の外周に各種形状の外周突部を形成した事を特徴とするキャップ用マグネット止着具。
【請求項４】
マグネット止着具は、硬質性の合成樹脂の構成材料より形成し、該マグネット止着具には、外周に円形縁枠を設けると共に、正面の接着側に止着面を形成し、該止着面には、各種形状のマグネットを接着した事を特徴とするキャップ用マグネット止着具。
【考案の詳細な説明】
【技術分野】
【０００１】  本考案は、マグネットを取付けた軟弱性又は硬質性のキャップ状の形状より構成され、各種のペットボトル等のキャップの外周又は内周に嵌合して、ロッカー、冷蔵庫及びスチール面に書類、メモ及び写真等を支持固定するキャップ用マグネット止着具に関するものである。
【背景技術】
【０００２】  従来この種のものには、円形等の硬質合成樹脂の取付面の中央に、永久磁石を接着剤等で一体的に取着したもので、ロッカー、冷蔵庫等のスチール面に書類及びメモ等を磁石によって止めるものが各種散見されている。
【考案の開示】
【考案が解決しようとする課題】
【０００３】  従来、この種の書類及びメモ等をスチール面に固定支持するマグネット止着具は、予め、円形等の各種形状の硬質合成樹脂製にマグネットを接着又は埋設されている製品が一般に販売されているものを使用している。然し、これ等のマグネット止着具によれば、全体的な形状及び表面の表示が単純で変形が無く、取り外しの際に把手部が無いので、摘んで持ち外しづらい欠点と、指で握るのに握る部分が無いので、着脱の際に指で挟持できないために常時落下すると云う問題点があった。
本考案は、上記の各種問題点を解決したものであり、その主たる目的とする所は、マグネット止着具を軟質合成樹脂又は硬質合成樹脂で円筒状に形成すると共に、取付面側の止着面にマグネットを取着してある。そして、マグネット止着具の円筒状の部分を各種の飲料水のキャップの外周又は内周に嵌合する事によって、各種のキャップの表面の異なる図柄模様を表面としてスチール面に書類やメモ等を押止め、停止固定することによって、キャップ表面の各種の図柄模様の美観と変化を楽しく見る事を特徴とするものである。
【課題を解決するための手段】
【０００４】  上記目的を達成するために、本考案のキャップ用マグネット止着具は、軟質合成樹脂又は硬質合成樹脂及び合成ゴム等の硬軟性な構成材料を以って構成され、外周に円形縁枠を形成すると共に、正面の取付面となる止着面とを一体に構成する。該止着面には、各種のマグネットを一部又は全面に埋設又は取着したものである。
また、該マグネット止着具は、キャップの外側から被嵌する形状のものと、キャップの内側に挿嵌できる形状のものとする。内側に挿嵌するマグネット止着具には、外周に各種形状の外周突部を形成する形状となっている。
【考案の効果】
【０００５】  本考案は、以上説明したように、従来普通に廃棄処分される各種のペットボトルのキャップ内外に挿嵌又は被嵌する事によって、キャップの表示面の異なる文字、図柄模様が表面に美しく現出された状態でマグネット止着具の役目を充分に果す効果と、各種の異なる文字、図柄模様の色柄を楽しく見る効果がある。そして、マグネット止着具は、円形縁枠と止着面とを一体に形成し、その構成材料を硬軟性のある合成樹脂、又は合成ゴム等を以って形成したので、キャップの裏面の外側より弾性に抗して容易に挿合して被嵌できる効果と、キャップの裏面の内側より弾性に抗して容易に挿嵌できる効果がある。また、キャップ内部に挿嵌用するマグネット止着具には、外周に各種形状の外周突部を形成したので、キャップ内の適宜の凹凸部と係合して離脱を確実に防止できる効果もある。
【考案を実施するための最良の形態】
【０００６】  キャップ用マグネット止着具によれば、ペットボトルを開蓋した後に廃棄されるキャップに対し、キャップの裏面側よりマグネット止着具を外周より被嵌又は弾性に抗して嵌合被嵌し、又は、キャップの裏面側より挿嵌又は弾性的にキャップの内部に挿嵌するものである。
そして、キャップの文字、図柄模様の表面として、該マグネット止着具のマグネットを取付けてある止着面をロッカー、冷蔵庫、ホワイトボード等のスチール面に書類やメモ及び写真等を着脱自在に固定してキャップの表面の文字及び図柄模様の多数の各種類を楽しく見たり、読んだりできるものである。
【実施例】
【０００７】  次に、本考案の実施例を図面について説明すると、図１に示すものは、マグネット止着具（１）の取付け側から見た斜面図を示し、硬質性又は柔軟性を有する合成樹脂及び合成ゴム等の構成材料より構成される。該マグネット止着具（１）には、図２に示す如く、外周に円形縁枠（２）を設け、該円形縁枠（２）には、接着側に止着面（３）を形成してある。
該止着面（３）には、正面に円形等の各種形状のマグネット（５）を接着してある。該円形縁枠（２）には、外周に滑り防止及び手持ちに便利な波状等の凹凸状の外周突部（６）を形成してある。また、該円形縁枠（２）には、内周面に各種形状の凹凸状の内周突部（７）を形成してある。【０００８】  次に、図２と図３において、ペットボトル等のキャップ（９）を示し、該キャップ（９）の正面表示部（１０）には、一般に無印でなく文字、図柄模様が画書されている。該キャップ（９）には、内周枠（１１）が形成され、外周には縦方向又は横方向の粗面の外周凹凸部（１２）が刻設されている。また、該内周枠（１１）には、内周面に各種形状の内周凹凸部（１３）を刻設されている。なお、図３は、該キャップ（９）の裏面側より該マグネット止着具（１）を押圧又は弾性に抗して外側より嵌合した状態を示したものである。【０００９】  図４に示すものは、マグネット止着具（１）の全体の斜面図を示し、該マグネット止着具（１）を図１に示すマグネット止着具（１）を小型化したもので、図５に示す該キャップ（９）の裏面側の内部に図６に示す如く押圧又は弾性を利用して挿嵌支持されたものである。
また、図４における該マグネット止着具（１）には、図１に示す止着面（３）の表面にマグネット（５）を取付けたものと異なり、該止着面（３）の成形時に一体にマグネット（５）を埋設状態に固定取着したものである。
【図面の簡単な説明】
【００１０】
【図１】  本考案のマグネット止着具の全体斜面図である。
【図２】  本考案のマグネット止着具とキャップを対面させた状態の縦断側面図である。
【図３】  同じく本考案のキャップの裏面側よりマグネット止着具を外周より被嵌した使用状態となる縦断側面図である。
【図４】  本考案の小型化されたマグネット止着具の全体斜面図である。
【図５】  同じく本考案のマグネット止着具をキャップと対面した状態の縦断側面図である。
【図６】  本考案のキャップの裏面側よりキャップの内部に挿嵌した状態となる縦断側面図である。
【符号の説明】
【００１１】１          マグネット止着具
２          円形縁枠
３          止着面
５          マグネット
６          外周突部
７          内周突部
９          キャップ
１０        正面表示部
１１        内周枠
１２        外周凹凸部
１３        内周凹凸部
【図１】
0003142903.tif 000003
【図２】
0003142903.tif 000004
【図３】
0003142903.tif 000005
【図４】
0003142903.tif 000006
【図５】
0003142903.tif 000007
【図６】
0003142903.tif 000008